(57)【要約】【課題】室内又は室外の壁面に花や植物による装飾を施す場合において、花や植物に関する高度な装飾技能を有する者の手によらずとも、短時間で効率的に装飾性の高い飾り付けを施すことができ、壁面の一部や全体のデザインの変更も簡単に行うことができる壁面装飾用ユニット及びそれを備えた壁面装飾用パネルを提供する。【解決手段】囲み形状の枠体（１１）と、枠体（１１）内に収容した造花又は生花等の花（２０）又は観葉植物やその模造品等の植物（２１）とを備える壁面装飾用ユニット（１０）と、壁面装飾用ユニット（１０）の枠体（１１）を収容可能な格子状のフレーム部材（５０）と、フレーム部材（５０）を室内又は室外の壁面（１００）に固定するための固定構造とを備え、フレーム部材（５０）の格子状の部分に壁面装飾用ユニット（１０）を収容することで壁面（１００）に花や植物の装飾を施した構成である。【選択図】図３
2018044416.tif 000002
【特許請求の範囲】
【請求項１】
囲み形状の枠体と、
前記枠体内に収容した造花又は生花等の花又は観葉植物やその模造品等の植物と、を備えることを特徴とする壁面装飾用ユニット。
【請求項２】
前記枠体は、正方形の囲み形状を有することを特徴とする請求項１に記載の壁面装飾用ユニット。
【請求項３】
壁面に花や植物による装飾を施すための壁面装飾用パネルであって、
請求項１又は２に記載の壁面装飾用ユニットと、
前記壁面装飾用ユニットの前記枠体を収容可能な格子状のフレーム部材と、
前記フレーム部材を室内又は室外の壁面に固定するための固定構造と、を備え、
前記フレーム部材の格子状の部分に前記壁面装飾用ユニットを収容することで前記壁面に花や植物による装飾を施した構成である
ことを特徴とする壁面装飾用パネル。
【請求項４】
前記フレーム部材で前記壁面に取り付けた複数の前記壁面装飾用ユニットで、前記壁面の床から天井までの高さ方向の全体が覆われるように構成されていることを特徴とする請求項３に記載の壁面装飾用パネル。
【発明の詳細な説明】
【技術分野】
【０００１】
本発明は、室内又は室外の壁面に花や植物による装飾を施すための壁面装飾用ユニット及びそれを備えた壁面装飾用パネルに関する。
【背景技術】
【０００２】
住居やオフィスなど室内の内壁あるいは建物の外壁などの壁面に装飾を施す場合がある。このような壁面の装飾の一例として、壁面に造花や保存加工を施した例えばプリザーブドフラワーなどの生花（以下、これらを総称して単に「花」という場合がある。）、又は観葉植物やその模造品（以下、これらを総称して単に「植物」という場合がある。）などを飾り付けることが行われている。従来、これらの花や植物を壁面に飾り付けるには、一例として特許文献１に示すように、花や植物を収納するための容器（植木鉢やポットなど）を壁面に取り付けて、当該容器に花や植物を盛り付けることで壁面を装飾する方法が一般的である。
【０００３】
上記の手法による飾り付けは、壁面の一部に花や植物をあしらう場合には適しているが、これとは別に、壁面の全体（全面）に花や植物をあしらって壁面の全面装飾とする場合がある。このような場合には、従来は、壁面に花や植物を直接飾り付けることで装飾する方法が取られていた。
【０００４】
しかしながら、壁面に花や植物を直接飾り付けるやり方では、壁面の装飾性の自由度が高い反面、室内の内装工事を行う現場に花や植物を持ち込み、その場で一つ一つの花や植物を壁面に取り付ける作業を行う必要があり、現場での作業が非常に煩雑になる。また、現場での施工に時間がかかり費用も嵩むという問題がある。
【０００５】
さらに、上記のやり方では、花や植物による壁面装飾のデザイン性を高めるには、フラワーアレンジメントの専門家など、花や植物に関する高度な装飾技能を有する者が内装工事の現場に入り作業を行う必要がある。しかしながら、そのような者が内装工事の現場で作業をするのは非効率であるし、そのためのコストも嵩むことになるため、適切な対策を施すことが望まれている。
【０００６】
さらに、上記のやり方では、施工後や一定期間の使用後に壁面のデザインを変えたい場合や、飾り付けた花や植物の種類を変えたい場合などには、花や植物を取り外して再度飾り付けを行う必要があり、その度に内装工事が必要となる、という問題もある。
【先行技術文献】
【特許文献】
【０００７】
【特許文献１】特開２０１０−２５５３２７号公報
【発明の概要】
【発明が解決しようとする課題】
【０００８】
本発明は上述の点に鑑みてなされたものであり、その目的は、室内又は室外の壁面に花や植物による装飾を施す場合において、花や植物に関する高度な装飾技能を有する者の手によらずとも、短時間で効率的に装飾性の高い飾り付けを施すことができ、壁面の一部や全体のデザインの変更も簡単に行うことができる壁面装飾用ユニット及びそれを備えた壁面装飾用パネルを提供することにある。
【課題を解決するための手段】
【０００９】
上記課題を解決するため、本発明にかかる壁面装飾用ユニット（１０）は、囲み形状の枠体（１１）と、枠体（１１）内収容した造花又は生花等の花（２０）又は観葉植物やその模造品等の植物（２１）と、を備えることを特徴とする。またこの場合、枠体（１１）は、正方形の囲み形状を有するとよい。
【００１０】
また、本発明にかかる壁面装飾用パネルは、壁面に花や植物による装飾を施すための壁面装飾用パネル（１）であって、上記の壁面装飾用ユニット（１０）と、壁面装飾用ユニット（１０）の枠体（１１）を収容可能な格子状のフレーム部材（５０）と、フレーム部材（５０）を室内又は室外の壁面（１００）に固定するための固定構造と、を備え、フレーム部材（５０）の格子状の部分に壁面装飾用ユニット（１０）を収容することで壁面（１００）に花や植物による装飾を施した構成であることを特徴とする。またこの場合、フレーム部材（５０）で壁面に取り付けた複数の壁面装飾用ユニット（１０）で、壁面（１００）の床（１０１）から天井（１０２）までの高さ方向の全体が覆われるように構成されているとよい。
【００１１】
本発明にかかる壁面装飾用ユニット及び壁面装飾用パネルによれば、複数の壁面装飾用ユニットを室内又は室外の壁面に並べて取り付けるだけで、壁面装飾用ユニットに収容した造花又は生花等の花又は観葉植物やその模造品等の植物によって、壁面に所望のデザインの装飾を施すことができる。したがって、壁面の装飾工事を行う現場に花や植物を単体で持ち込み、その場で一つ一つの花や植物を壁面に取り付ける作業を行う必要が無くなるので、現場での作業が非常に効率良くなる。また現場での施工時間を大幅に短縮でき費用を低く抑えることができる。
【００１２】
また、本発明によれば、フラワーアレンジメントの専門家など花や植物に関する高度な装飾技能を有する者によることなく、壁面に飾り付ける花や植物のデザイン性を効果的に高めることができる。
【００１３】
さらに、本発明によれば、施工後や一定期間の使用後に壁面のデザインを変えたい場合や、飾り付けた花や植物の種類を変えたい場合などにも、その都度内装工事を行う必要なく、壁面装飾用ユニットを取り外して交換するだけで、壁面デザインの変更を容易かつ迅速に行うことができる。
【００１４】
また、本発明によれば、床から天井までの壁面の上下方向の全体を花又は植物で埋めるような装飾を非常に簡単に施すことができる。
なお、上記の括弧内の符号は、後述する実施形態の対応する構成要素の符号を本発明の一例として示したものである。
【発明の効果】
【００１５】
本発明にかかる壁面装飾用ユニット及びそれを備えた壁面装飾用パネルによれば、室内の壁面に花や植物による装飾を施す場合において、花や植物に関する高度な装飾技能を有する者の手によらずとも、短時間で効率的に装飾性の高い飾り付けを施すことができ、また、壁面の一部や全体のデザインの変更も比較的簡単に行うことができる。
【図面の簡単な説明】
【００１６】
【図１】壁面装飾用ユニット及び壁面装飾用パネルで装飾を施した室内の壁面１００を示す斜視図である。
【図２】壁面装飾用ユニットを示す図である。
【図３】壁面装飾用ユニットを取り付ける壁面の構成例を示す図で、（ａ）は、壁面を正面から見た図、（ｂ）は、壁面を上方から見た図（一部断面図）である。
【図４】本実施形態の他の構成例を説明するための図である。
【発明を実施するための形態】
【００１７】
以下、添付図面を参照して本発明の実施形態を詳細に説明する。図１は、本発明の一実施形態にかかる壁面装飾用ユニット１０及び壁面装飾用パネル１で装飾を施した室内の壁面１００を示す斜視図である。図２は、壁面装飾用ユニット１０を示す図である。図３は、壁面装飾用ユニット１０を取り付けるための壁面１００の構成例を示す図で、（ａ）は、壁面１００を正面から見た図、（ｂ）は、壁面１００を上方から見た図（一部断面図）である。
【００１８】
本実施形態の壁面装飾用ユニット１０は、図２に示すように、一例として一辺が約３０ｃｍ程度の正方形状の有底容器状の枠体１１を備え、枠体１１の内側に造花や長期保存が可能な処理を施した生花など（以下、本実施形態では単に「花」という。）２０、あるいは植物や果実の実物又は模造品など（以下、本実施形態では単に「植物」という。）２１（図３参照）などが収容（保持）された構成である。枠体１１は、木あるいは合成樹脂材などで構成することができる。また、ここでの長期保存が可能な処理を施した生花は、例えばプリザーブドフラワーなどであってよい。これら花や植物を枠体１１内に収容する際、花２０や植物２１をグルーガンなどの接着剤を用いて枠体１１の底壁や側壁に取り付ける。これにより、枠体１１に収容した花や植物が枠体１１から脱落することを防止できる。枠体１１内には、手前側（図２の手前側）から見て枠体１１内の底壁や側壁が容易に見えない程度に花２０や植物２１を隙間無く収容することが望ましい。なお、枠体１１の底面（図１の奥側の面）には底壁を設けずに貫通している構造でもよい。その場合はワイヤなどの固定手段を用いて花２０や植物２１を枠体１１に固定するとよい。
【００１９】
各壁面装飾用ユニット１０に収容する花２０や植物２１は、その色彩や種類などによって所望のデザイン性を持たせることができる。これにより、壁面装飾用ユニット１０を壁面１００に取り付ける際に複数の壁面装飾用ユニット１０の並べ方など組み合わせを選択するだけで、壁面１００に花２０や植物２１による所望のデザイン性を持たせることが可能となる。
【００２０】
図２は、壁面装飾用ユニット１０を取り付ける壁面１００の構成例を示す図で、（ａ）は、壁面１００を正面から見た図、（ｂ）は、壁面１００を上方から見た図（一部断面図）である。同図に示す壁面１００には、縦フレーム５１と横フレーム５２を組み合わせて構成される格子状のフレーム部材５０が取り付けられている。縦フレーム５１は、室内の床１０１から天井１０２まで延伸する直線状の細板部材であり、壁面１００上（壁面１００の前面）に複数本が所定の等間隔で並べて設置されている。一方、横フレーム５２は壁面１００の左右方向に延びる直線状の細板であり、壁面１００上（壁面１００の前面）において隣接する縦フレーム５１の間に掛け渡されて設置されている。この横フレーム５２は、複数本が所定の等間隔で並べて設置されている。これら縦フレーム５１と横フレーム５２とで多数の正方形からなる格子状のフレーム部材５０が構成されている。そしてここでの正方形の一辺の寸法は、壁面装飾用ユニット１０の枠体１１の一辺の寸法よりも僅かに大きな寸法に設定されており、フレーム部材５０の各格子内にそれぞれ壁面装飾用ユニット１０を嵌めこんで取り付けることが可能な寸法となっている。詳細や図示は省略するが、フレーム部材５０は、壁面１００に対してネジ止め金具での固定など適宜の固定手段によって固定されている。
【００２１】
なお、フレーム部材５０の奥行寸法（壁面１００から手前側に突出する寸法）は、壁面装飾用ユニット１０の枠体１１の奥行寸法と略同じ寸法に設定されている。これにより、フレーム部材５０の格子内に壁面装飾用ユニット１０を嵌めこんで取り付けることで、壁面装飾用ユニット１０がフレーム部材５０の奥行寸法内に丁度おさまるようになっている。
【００２２】
図３は、壁面装飾用ユニット１０を取り付けた室内の壁面１００を示す斜視図である。本実施形態の壁面装飾用ユニット１０は、枠体１１内に予め花２０又は植物２１を収容した状態にしておく。この段階までの工程は、花や植物を扱う店舗や工場などで行い、それをもって壁面装飾用ユニット１０の完成品とする。
【００２３】
一方、壁面１００の装飾を行う室内においては、予め内装工事などで花や植物の飾り付けを行う壁面１００に図２に示すようなフレーム部材５０を設置する工事を行っておく。その状態で、壁面装飾用ユニット１０の完成品を壁面１００の装飾を行う室内に持ち込み、フレーム部材５０の各格子内に壁面装飾用ユニット１０を嵌め込んで取り付ける。この際、花２０や植物２１の種類に応じて壁面装飾用ユニット１０の並べ方を工夫することで、壁面１００に所望のデザイン（色彩や花又は植物の種類など）性を持たせることができる。図３に示す例では、正面の壁面１００（ディスプレイを取り付けた壁面）のうち、向かって右側の一部には花２０を収容した壁面装飾用ユニット１０を並べ、残りの部分には花の咲いていない植物２１を収容した壁面装飾用ユニット１０を並べている。また、向かって左側の壁面には、花の咲いていない植物２１を収容した壁面装飾用ユニット１０のみを並べている。このようにして壁面装飾用ユニット１０の並べ方（組み合わせ）を選択するだけで、壁面１００を花や植物によって所望のデザインに装飾することができる。
【００２４】
また、フレーム部材５０の各格子内に壁面装飾用ユニット１０を嵌め込んで取り付ける際、壁面装飾用ユニット１０をフレーム部材５０の各格子内に固定する固定構造を設けることが望ましい。この固定構造として、例えばネジ止めや金具による固定などの固定構造、あるいは枠体１１とフレーム部材５０の一方に設けた突起が他方に設けた溝などに係合する係合構造などでもよい。さらにこの場合、可撓性を有する爪片などの突起を設けることで、工具などを使わず手作業のみで壁面装飾用ユニット１０の取り付け及び取り外しを行うことができるようにすれば、壁面装飾用パネル１の設置等の作業を非常に効率的に行うことができるようになる。
【００２５】
このように、本実施形態の壁面装飾用ユニット１０は、正方形の囲み形状を有する枠体１１と、枠体１１内に収容した造花又は生花等の花２０又は観葉植物やその模造品等の植物２１とを備える。
【００２６】
また、本実施形態の壁面装飾用パネル１は、壁面１００に花や植物による装飾を施すための壁面装飾用パネル１であって、上記構成の壁面装飾用ユニット１０と、壁面装飾用ユニット１０の枠体１１を収容可能な格子状のフレーム部材５０と、フレーム部材５０を壁面１００に固定するための固定構造とを備え、フレーム部材５０の格子状の部分に壁面装飾用ユニット１０を収容することで壁面１００に花や植物による装飾を施した構成である。また、フレーム部材５０で壁面１００に取り付けた複数の壁面装飾用ユニット１０によって、壁面１００の床１０１から天井１０２までの高さ方向の全体を覆うことができるように構成されている。
【００２７】
図４は、本実施形態の他の構成例を説明するための図である。同図に示す構成では、壁面装飾用パネル１の前面を透明又は半透明の透過板６０で覆っている。すなわち、この構成では、天井１０２と床１０１及び側壁１００に沿って取り付けた枠部材６１と、枠部材６１の段部６１ａに嵌め込んで取り付けた透過板６０と、枠部材６１の前面に固定した押え板６２とを備えている。枠部材６１は、天井１０２や床１０１などに図示しないＬ型金具などで固定する。そして、透過板６０を段部６１ａに嵌め込んだ状態で、枠部材６１の前面に押え板６２を図示しないビス止めなどの手段で取り付けることで透過板６０が外れないように固定する。
【００２８】
枠部材６１は木製などであってよい。また、透過板６０は、透明又は半透明の板材であり、その材質は、ガラス製又はアクリルなどの合成樹脂製であってよい。また、押え板６２は、薄板状で表面の装飾性に優れた部材であればよく、一例としてアルミ製の板材などで構成することができる。なお、図４（ｂ）に示すように、透過板６０の突き合わせ箇所（コーナー部分）６０ａには、シーリング止めを施すとよい。
【００２９】
上記のような透過板６０で壁面装飾用パネル１の前面を覆うことで、壁面装飾用パネル１の見栄えを向上させることができ、より一層デザイン性を高めることができる。また、透過板６０を設けたことで壁面装飾用ユニット１０の花２０や植物２１に埃などが付着することを防止できるので、メンテナンス性及び清潔性を保つこともできる。なお、図４に示す透過板６０の設置は必須ではなく、壁面装飾用パネル１のオプションとして必要に応じて取り付けるようにすればよい。
【００３０】
本実施形態の壁面装飾用ユニット１０及び壁面装飾用パネル１によれば、複数の壁面装飾用ユニット１０を壁面１００に並べて取り付けるだけで、壁面装飾用ユニット１０に収容した造花又は生花等の花２０又は観葉植物やその模造品等の植物２１によって、壁面１００に所望のデザインの装飾を施すことができる。したがって、壁面１００の装飾工事を行う現場に花や植物を単体で持ち込み、その場で一つ一つの花や植物を壁面に取り付ける作業を行う必要が無くなるので、現場での作業が非常に効率良くなる。また、現場での施工時間を短縮でき費用も低く抑えることができる。
【００３１】
また、本実施形態の壁面装飾用ユニット１０及び壁面装飾用パネル１によれば、フラワーアレンジメントの専門家など花や植物に関する高度な装飾技能を有する者によることなく、壁面１００に飾り付ける花や植物のデザイン性を効果的に高めることができる。
【００３２】
さらに、本実施形態の壁面装飾用ユニット１０及び壁面装飾用パネル１によれば、施工後や一定期間の使用後に壁面１００のデザインを変えたい場合や、飾り付けた花や植物の種類を変えたい場合などにも、その都度内装工事を行う必要なく、壁面装飾用ユニット１０を取り外して交換するだけで、壁面１００のデザインの変更を容易かつ迅速に行うことができる。特に、季節ごとに花２０や植物２１の種類を変えることで壁面装飾に季節感を持たせたい場合や、花や植物をリース契約などで定期的に入れ替えることなども非常に簡単に行うことができるので、壁面装飾の利便性を格段に向上させることが可能となる。
【００３３】
また、本実施形態の壁面装飾用ユニット１０及び壁面装飾用パネル１によれば、床１０１から天井１０２までの壁面１００の上下方向の全体（全面）を花又は植物で埋めるような装飾を非常に簡単に施すことができる。
【００３４】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、本発明の壁面装飾用ユニット及び壁面装飾パネルは、室内の壁面に設置した場合を示したが、これ以外にも室外の壁面（建物の外壁など）に設置することも可能である。さらに、側壁だけでなく天井壁などにも設置することが可能である。また、壁面装飾用ユニットが備える枠体の形状は、上記実施形態に示す正方形には限定されず、例えば長方形や四角形以外の多角形など、他の形状であってもよい。
【符号の説明】
【００３５】
１    壁面装飾用パネル
１０    壁面装飾用ユニット
１１    枠体
２０    花
２１    植物
５０    フレーム部材
５１    縦フレーム
５２    横フレーム
６０    透過板
６１    枠部材
６２    押え板
１００    壁面
１０１    床
１０２    天井
【図１】
2018044416.tif 000003
【図２】
2018044416.tif 000004
【図３】
2018044416.tif 000005
【図４】
2018044416.tif 000006